(57)【要約】【課題】被洗浄面である車体に強固に付着している汚れを除去することができる高い洗浄性と洗浄時の静粛性を有すると共に、被洗浄面に傷がつき難く、安価に洗車機用洗浄ブラシのブラシ片、及びそれを用いた洗車機用洗浄ブラシ、及びその洗車機用洗浄ブラシを搭載した洗車機を提供する。【解決手段】自動車あるいは車両の外面の被洗浄面に付着した汚れ等を洗浄する為の洗車機に使用する洗車機用洗浄ブラシのブラシ片において、前記洗車機用洗浄ブラシは、軸体及び、前記軸体の外周部にブラシ片が形成されてあり、前記ブラシ片は、接合部を有する筒状体あるいは袋状体に形成されてあるものである。【選択図】      図１
2008006030.tif 000002
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシは、軸体及び、前記軸体の外周部にブラシ片が形成されてあり、前記ブラシ片は、接合部を有する筒状体あるいは袋状体に形成されてあることを特徴とする洗車機用洗浄ブラシ。
【請求項２】
請求項１記載の構成よりなる洗車機用洗浄ブラシにおいて、前記接合部は、前記ブラシ片の内側中空部に形成されてあることを特徴とする洗車機用洗浄ブラシ。
【請求項３】
請求項１あるいは２記載の構成よりなる洗車機用洗浄ブラシにおいて、前記ブラシ片は、前記軸体の外周面に、前記接合部が前記ブラシ片の内方になるように折り込んで形成されてあることを特徴とする洗車機用洗浄ブラシ。
【請求項４】
請求項１から３のいずれかに記載の構成よりなる洗車機用洗浄ブラシにおいて、前記ブラシ片は、異材質からなる複数のブラシ部材にて形成されてあることを特徴とする洗車機用洗浄ブラシ。
【請求項５】
請求項１から４のいずれかに記載の構成よりなる洗車機用洗浄ブラシにおいて、
前記ブラシ片は、先端部にスリットが形成されてあることを特徴とする洗車機用洗浄ブラシ。
【請求項６】
駆動源と、被洗浄面に散布する洗浄剤及び水を噴出させるノズルと、洗浄後の被洗浄面を乾燥させる乾燥手段を備えると共に、請求項１から５のいずれか１項に記載の洗車機用洗浄ブラシを搭載したことを特徴とする洗車機。
【発明の詳細な説明】
【技術分野】
【０００１】
本発明は、自動車あるいは車両の外面の被洗浄面に付着した汚れ等を洗浄する為の洗車機に使用する洗浄ブラシのブラシ片、及びそれを用いた洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗浄ブラシのブラシ片、及びそれを用いた洗浄ブラシ、及びその洗浄ブラシを搭載した洗車機に関しては、使用目的に応じて、さまざまな改良がなされ、例えば、ストロー状の中空線材が複数並列に一体化された形態をなす発泡合成樹脂の一体の押出し成形品であって外周面に表皮を有することを特徴とする自動洗車ブラシ用洗浄体が、実用新案第３０５９３３１号に開示されてある。
【０００３】
また、内部に線状の接合部を有し、その接合部を中心として、複数のループ状のひだが放射状に伸びた断面形状を有する立体状不織布、あるいは、前記立体状不織布のループ状のひだの内側に、繊維ウエブまたは不織布が充填されてある立体状不織布、あるいは、筒状の不織布を複数積層し、その筒型状を更に２つの筒状に２分するように、線状の接合部を形成して、各不織布を接合することを特徴とする立体状不織布の製造方法、更に、不職布を複数回折り返して積層し、左右の折り返し辺の間に線状の接合部を形成して積層した不織布を接合することを特徴とする立体状不織布の製造方法が特許第２９６３３１７号に開示されてある。
【０００４】
また、回転体の外周に多数のブラシ片を固定した洗車用ブラシにおいて、前記ブラシ片が、回転体に固定される取付基部から中間部まで延在する発泡合成樹脂片と、発泡合成樹脂片の延在端に接合されて先端部まで延在する不織布とを有してなることを特徴とする洗車用ブラシが特開２００６−６２４８４号に開示されてある。
【０００５】
【特許文献１】実用新案第３０５９３３１号
【特許文献２】特許第２９６３３１７号
【特許文献３】特開２００６−６２４８４号公報
【発明の開示】
【発明が解決しようとする課題】
【０００６】
従来の洗車機用洗浄ブラシのブラシ片、及びそれを用いた洗浄ブラシは、例えば、上記の如くの特徴を有する技術が開示されてあるが、実用新案第３０５９３３１号に開示されてある技術においては、ストロー状の中空線材が複数並列されて形成されている為、複数並列の洗浄体ピッチ間において、洗浄体が被洗浄面に接触せず洗浄残りが発生していた。
【０００７】
また、特許第２９６３３１７号に開示されてある技術においては、内部に線状の接合部を有し、その接合部を中心として、複数のループ状のひだが放射状に延びた断面形状を有する立体状不織布が形成されているが、例えば、前記線状の接合部が不織布中心からずれた状態で接合した場合、ループ状のひだが不均一な形状を成し、洗車機に取り付けた場合、洗浄ムラを引き起こす課題があった。また前記不職布を複数回折り返して積層し、左右の折り返し辺の間に、線状の接合部を形成した不織布においては、不織布を重ねて折り込んだだけなので、1つ1つの立体形状のコシが不足する課題があった。また、前記立体状不織布は積層した不織布を線状の接合を施したのみなので、人為的に不織布を立体状に膨らませないと不織布は平面状に戻る課題があった。更に、積層した不織布充填工程、積層のズレ防止、多層接合の為の機械の大型化等、複雑な加工工程により、生産性が低くなり、コストが高くなる課題もあった。
【０００８】
また、特開２００６−６２４８４号に開示されてある技術においては、回転体の外周に多数のブラシを固定した洗車用ブラシにおいて、前記ブラシ片が、回転体に固定される取付基部から中間部まで延在する発泡合成樹脂片と、発泡合成樹脂片の延在端に接合されて先端部まで延在する不織布片とを有してなるものとある。しかしながら、前記洗車用ブラシには、次のような課題がある、前記中間部まで延在する発泡合成樹脂片と、その先に延在する前記不織布片は、接合用の糸あるいは、溶着が施されており前記発泡合成樹脂片と前記不織布片との接合部に段差ができる為、被洗浄面に傷を付けたり、糸あるいは、溶着部が被洗浄面に引っかき傷を付ける課題があった。
【０００９】
本発明は、上記従来の課題を解決するもので、被洗浄面である車体に強固に付着している汚れを除去することができる高い洗浄性と洗浄時の静粛性を有すると共に、被洗浄面に傷がつき難く、安価に洗車機用洗浄ブラシのブラシ片、及びそれを用いた洗車機用洗浄ブラシ、及びその洗車機用洗浄ブラシを搭載した洗車機を提供することを目的としている。
【課題を解決するための手段】
【００１０】
前記従来の課題を解決する為に、自動車あるいは車両の外面の被洗浄面に付着した汚れ等を洗浄する為の洗車機に使用する洗車機用洗浄ブラシにおいて、前記洗車機用洗浄ブラシは、軸体及び、前記軸体の外周部にブラシ片が形成されてあり、前記ブラシ片は、接合部を有する筒状体あるいは袋状体に形成されてある。その為、被洗浄面にブラシ片が接触する時に加わる加圧力により、ブラシ片の被洗浄面にたいする接触面積が適時徐変し、車体に強固に付着している汚れを除去することができると共に、被洗浄面からの加圧力を筒状あるいは、袋状の中空部が変形する事により吸収し、洗車時の接触音の低減を図ることができる為、高い洗浄性と静音性を兼ね備えたブラシにできる。
【００１１】
また、平面状のブラシ片に比較して、本発明の前記ブラシ片は筒状あるいは、袋状の為、腰を強くする事ができ、ブラシ片の座屈、折れ等の形状変形を抑制できる。その為、高い洗浄性を確保できる。
【発明の効果】
【００１２】
本発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシは、軸体及び、前記軸体の外周部にブラシ片が形成されてあり、前記ブラシ片は、接合部を有する筒状体あるいは袋状体に形成されてある。その為、洗車時に車体表面の塵埃を除去する際には、接触するブラシ片の筒状体あるいは袋状体の一部が順次変形しながら当接する。その為、ブラシ片の筒状体あるいは袋状体は衝撃を吸収でき、被洗浄面に傷が発生し難い洗浄ができると共に、高い静音性が可能となる。
【００１３】
また、前記ブラシ片の筒状体あるいは袋状体の一部が順次変形しながら当接する際に、前記ブラシ片は車体形状にフィットする為、洗浄残りが無く高い洗浄性を確保できる。
【００１４】
また、本発明の前記ブラシ片は筒状あるいは、袋状に形成される為、平面状のブラシ片に比べて、ブラシ片の座屈、折れ等の形状変形を抑制できる。その為、高い洗浄力を発揮できる。
【００１５】
また、本発明の洗車機用洗浄ブラシのブラシ片は、平面状のブラシ片を接合する事により、筒状あるいは、袋状の形態に加工できる為、例えば、押出成形等にて一体成型する必要が無く、非常に安価に製作できる。
【発明を実施するための最良の形態】
【００１６】
第1の発明は、自動車あるいは車両の外面の被洗浄面に付着した汚れ等を洗浄する為の洗車機に使用する洗浄ブラシのブラシ片、及びそれを用いた洗浄ブラシにおいて、前記ブラシ片は接合部を有する筒状体あるいは袋状体に形成されてある為、洗車機用洗浄ブラシが被洗浄面に対して接触した際に、筒状体あるいは袋状体の一部が車体面の形状に順次変形しながら当接する。その為、被洗浄面の凸凹にたいして前記ブラシ片が、順次変形しながら被洗浄面の形状にフィットする為、静音性が高い。又、被洗浄面とブラシ片に隙間が無くなり、洗浄残りが無いので、高い静音性と洗浄性を兼ね備えた洗車機用洗浄ブラシにできると共に、高い静音性を実現できる。
【００１７】
第２の発明は、第１の発明の洗車機用洗浄ブラシにおいて、前記接合部が前記ブラシ片の内側中空部に形成されてある。その為、接合部が外周部に突出しない為、前記接合部の凸部が内包される。その為ブラシ片は被洗浄面に凸部が当接する事が無い。その為、前記ブラシ片は、凸部の無い平滑な面にて被洗浄面に当接する事ができ、洗浄ムラを防止できる。又、傷付きを防止できる。
【００１８】
第３の発明は、第１あるいは第２の発明の洗車機用洗浄ブラシにおいて、前記ブラシ片は、前記軸体の外周面に、前記接合部が前記ブラシ片の内方になるように折り込んで形成されてある。その為、ブラシ片の接合部が被洗浄面に当接する事が無く、接合部の剥がれあるいは、ほつれを防止できる。又、内方に折り込まれて接合部がある為、接合部が無い場合と比べて、強度を高くできる。
【００１９】
第４の発明は、第１から第３のいずれかの発明の洗車機用洗浄ブラシにおいて、前記ブラシ片は、異材質からなる複数のブラシ部材にて形成されてある為、例えば、ブラシ片の根元部分には、毛腰が硬い部材を使用し、ブラシ片先端の洗浄部分には、毛腰が柔らかく高い洗浄性を有する部材を使用する等、使用目的に応じて、前記ブラシ片の構成部材を適宜組み合わせる事により効果的な洗浄ができるよう設定できる。
【００２０】
第５の発明は、第１から第４のいずれかの発明の洗車機用洗浄ブラシにおいて、前記ブラシ片の先端部にスリットが形成されてある為、被洗浄面の凸凹にブラシ片の先端部が入り込み、洗浄ムラの無い高い洗浄性を発揮できる。より細部の洗浄を可能とする事ができる。
【００２１】
第６の発明は、駆動源と、被洗浄面に散布する洗浄剤及び洗浄水を噴出させるノズルと、洗浄後の被洗浄面を乾燥させる乾燥手段を備えると共に、第１の発明から第５の発明のいずれかの洗車機用洗浄ブラシを搭載したものである。その為、洗車機は、静音性が高く、且つ、被洗浄面に傷を付ける事が無く、高い洗浄性を発揮できる。又、洗車機は、洗車機用洗浄ブラシを高速回転に設定すると共に、洗浄時間を短時間に設定した場合においても、前記と同様の洗浄残りの無い、高い洗浄性が発揮される。
【００２２】
以下、本発明の実施の形態について図面を参照しながら説明する。なお、この実施の形態により本発明が限定されるものではない。
【００２３】
（実施例１）
図１から図５にて実施例１を示す。図１（Ａ）は、本発明の洗車機用洗浄ブラシのブラシ片の斜視図、図１（Ｂ）は、本発明の洗車機用洗浄ブラシの先端部をスリット加工したブラシ片の斜視図、図２は、本発明の洗車機用洗浄ブラシのブラシ片を配した洗車機用洗浄ブラシの斜視図、図３（Ａ）は、本発明の他の実施の形態における洗車機用洗浄ブラシ片の斜視図、図３の（Ｂ）は、図３（Ａ）の部分拡大断面図、図４は図２の部分拡大断面図、図５は、本発明の洗車機用洗浄ブラシが搭載されてある洗車機の正面図である。
【００２４】
図１（Ａ）において、洗車機用洗浄ブラシのブラシ片１は、２辺の端部を内側に折り曲げて中空部２を設けたのち、２辺の端部を接合部３で縫製により接合し、概円筒状に形成されてある。
【００２５】
また、図１（Ｂ）において、本発明の洗車機用洗浄ブラシのブラシ片の実施の形態を示す。ブラシ片４は、２辺の端部を内側に折り曲げて中空部２を設けたのち、２辺の端部を接合部３で縫製等により接合し、概円筒状に形成されてあると共に、ブラシ片４はスリット５にて形成されてある。
【００２６】
なお、ブラシ片１、ブラシ片４及びブラシ片９は、概円筒状の他、概袋状等に形成しても良い。また、ブラシ片１の材質には、布帛が使用されてある。また、ブラシ片１の材質は、布帛以外にも、合成樹脂発泡体、フィルム状樹脂組成物、合成皮革、人工皮革等の各種皮革等、使用目的に応じて、適宜設定できる。
【００２７】
次に、図２及び、図４において、本発明の洗車機用洗浄ブラシの組付け方法を説明する。図２の洗車機用洗浄ブラシ７は、図４の洗車機用洗浄ブラシ１２の如く、ブラシ片１を、接合部３が内側に配置されるように概中央部にて二つ折りしたのち、軸８にたいして、リベット１３にて固定されてある。また、前記固定方法については、リベット止め以外にも、ボルト止め、止め金具による固定、溶着止め等、使用条件により適宜選択されて良い。
【００２８】
次に、図３（Ａ）及び（Ｂ）において、ブラシ片９はブラシ部材Ａ１１とブラシ部材Ｂ１０を接合部１４で接合したのち、端部を内側に折り曲げて中空部２を設けたのち、端部を接合部３で縫製等により接合し、概円筒状に形成されてある。
【００２９】
また、接合部３、１４の接合方法は、前記縫製以外にも、接着剤、フィルム状のホットメルト接着剤を熱圧着させることによる接着、あるいは超音波溶着、熱溶着、レーザー波溶着等による溶着を用いて形成しても構わない。
【００３０】
次に、図１から図２にて、本発明の洗車機用洗浄ブラシ７のブラシ片１の洗浄時の状態を説明する。車体面等の被洗浄面には、砂塵及び、膜層汚れ等の各種の汚れが付着している。また、被洗浄面にたいして軸８に取り付けられた複数のブラシ片１が回転しながら当接する事により、複数の接触面が形成される。砂塵及び膜層汚れ等は、複数のブラシ片１にて捕捉される。次に、ブラシ片１が被洗浄面を押し付ける事により、捕捉された砂塵及び膜層汚れ等は、被洗浄面上から掻き出されるように剥離する。
【００３１】
また、ブラシ片１は、図１（Ａ）、（Ｂ）の如く、縫製にて、筒状体に形成されており、前記筒状体の内側には中空部２が形成されてある。また、被洗浄面に複数のブラシ片１が回転しながら当接する際に、ブラシ片１には、押し付け圧がかかる。ブラシ片１は押し付け圧にたいし、中空部２が潰れる事により被洗浄面の形状にブラシ片１の一部が順次変形しながら当接する為、被洗浄面とブラシ片１の間には、隙間が無くなり、被洗浄面に密に接触する事となる。その為、接触不良による、被洗浄面の砂塵及び、膜層汚れ等の残りが無い。
【００３２】
また、ブラシ片１は、図１（Ａ）の如く、縫製にて筒状体に形成されていると共に、前記筒状体の内側には中空部２が形成されてある為、被洗浄面に複数のブラシ片１が回転しながら当接するブラシ片１とブラシ片１の間隔による、当接、離脱の押し付け圧の連続衝撃音は、前記の如く、筒状体あるいは袋状体の為、連続衝撃を円周方向全体で吸収させる事ができ、連続衝撃音をおさえるので、洗浄時の静音性を高める事ができる。
【００３３】
また、ブラシ片４は、図１（Ｂ）の如く、縫製にて筒状体に形成され、筒状体の内側には中空部２が形成されてあると共にスリット５が形成されている為、スリット５にて分割されたブラシ片４の先端部が、被洗浄面に当接する事により、被洗浄面の凸凹にたいしてブラシ片４の先端部が入り込み、洗浄残りをする事が無い。
【００３４】
次に、図３（Ａ）、（Ｂ）及び図２において、本発明の洗車機用洗浄ブラシの、他の実施の形態のブラシ片９の組付け方法方法及び、洗浄時の状態を説明する。車体面等の被洗浄面には、砂塵及び、膜層汚れ等の各種の汚れが付着している。また、被洗浄面にたいして軸８にブラシ片９が、図２の如く、二つ折りにされ、概中央部を軸に取り付けられている。また、ブラシ片９は、軸に近い側には、ブラシ部材Ｂ１０が取り付けられてある。また、ブラシ部材Ｂ１０にたいして、接合部１４にて縫製されて、自由端側に、ブラシ部材Ａ１１が形成されてある。また、ブラシ片９はブラシ部材Ｂ１０とブラシ部材Ａ１１を接合部１４にて縫製後、接合部１４が外方になるよう接合部３にて縫製する、次に接合部３が内方になるように裏返す事により、中空部２を有する筒状体に形成される。
【００３５】
また、前記ブラシ部材Ｂ１０と前記ブラシ部材Ａ１１は、異素材で形成されてある。ブラシ部材Ｂ１０は、変形し難い高剛性の合成樹脂等が用いられ、ブラシ部材Ａ１１においては、変形し易い柔軟性を持つ、布帛等が使用されてある。洗浄時にブラシ片９が水分を含み、自重が増加しても、前記の如く、変形し難い高剛性合成樹脂等で形成されてあるブラシ部材Ｂ１０は、その形態を保持する事ができる。また、ブラシ片９の軸から遠方の先端方向に形成されてあるブラシ部材Ａ１１は、直接被洗浄面に接触し、砂塵及び、膜層汚れ等を除去する。前記の如く、ブラシ部材Ａ１１は変形し易い柔軟性の布帛等の為、被洗浄面の、砂塵及び、膜層汚れ等を除去する際に、ソフトに当接できる為、洗浄面に傷を付け難い。
【００３６】
また、ブラシ部材Ｂ１０は、変形し難い高剛性合成樹脂等が用いられている為、長期間に渡り、被洗浄面への接触圧を保つ事ができる。
【００３７】
さらに、ブラシ部材Ａ１１は変形し易い柔軟性の布帛等の為、被洗浄面の凸凹にたいし柔軟にフィットし、隙間の無い洗浄ができる。
【００３８】
また、ブラシ部材Ａ１１は、中空部を有する布帛にて形成されてあるので、高い静音性を有すると共に、洗車中に、ポリエステル繊維の繊維間の空隙に洗浄水等を一時、溜めることができるので、保水性を高めることが可能である為、車体に付着している汚れを拭き取ることができる。
【００３９】
なお、ブラシ部材Ｂ１０は変形し難い高剛性合成樹脂等に限らず、その使用環境により、適宜選定されて良い。また、ブラシ部材Ａ１１についても、変形し易い低剛性の布帛等に限らず、その使用環境により、適宜選定されて良い。
【００４０】
また、ブラシ片９の接合方法として、縫製以外にも、接着剤、フィルム状のホットメルト接着剤を熱圧着させることによる接着、あるいは超音波溶着、熱溶着、レーザー波溶着等による溶着、面ファスナーによる接合等を用いて形成しても構わない。
【００４１】
次に、図５を用いて、洗車機２０について説明する。
【００４２】
図５において、洗車機２０は、本発明の洗車機用洗車ブラシ７が搭載されてあり、前記洗車機用洗浄ブラシ７は駆動源２２により回転駆動される。ノズル２３からは、被洗浄面にたいして、洗浄剤、及び洗浄水等が散布され、洗車機用洗浄ブラシ７により、被洗浄面に付着している塵埃及び膜層汚れが迅速、且つ確実に除去され、洗浄後は洗車機２０の乾燥手段である乾燥機２４により車体が乾燥される。
【００４３】
洗車機２０は、車体に付着している塵埃及び膜層汚れを効率よく迅速に除去する事が可能な高い洗浄性を有する洗車機用洗浄ブラシ７が搭載されてあるその為、洗車機２０は、駆動源２２により洗車機用洗浄ブラシ７を高速回転に設定すると共に、洗浄時間を短時間に設定した場合においても、洗浄残りの無い高い洗浄性を発揮する事ができる。
【産業上の利用可能性】
【００４４】
本発明の洗車機用洗浄ブラシのブラシ片は、主に、自動車あるいは車両の外面の被洗浄面に付着した汚れ等を洗浄する為の洗車機に搭載する洗車機用洗浄ブラシのブラシ片として使用する。
【図面の簡単な説明】
【００４５】
【図１】（Ａ）本発明の洗車機用洗浄ブラシのブラシ片の斜視図、（Ｂ）本発明の他の実施の形態における洗車機用洗浄ブラシのブラシ片の斜視図
【図２】本発明の洗車機用洗浄ブラシのブラシ片を配した洗車機用洗浄ブラシの斜視図
【図３】（Ａ）本発明の他の実施の形態における洗車機用洗浄ブラシのブラシ片の斜視図、（Ｂ）図３（Ａ）の部分拡大断面図
【図４】図２の部分拡大断面図
【図５】本発明の洗車機用洗浄ブラシが搭載されてある洗車機の正面図
【符号の説明】
【００４６】
１、４、９  ブラシ片  ２  中空部  ３、１４  接合部  ５  スリット
７、１２  洗車機用洗浄ブラシ  ８  軸  １０  ブラシ部材Ｂ  １１  ブラシ部材Ａ  １３  リベット  ２０  洗車機  ２２  駆動源２３  ノズル  ２４  乾燥機
【図１】
2008006030.tif 000003
【図２】
2008006030.tif 000004
【図３】
2008006030.tif 000005
【図４】
2008006030.tif 000006
【図５】
2008006030.tif 000007